(57)【特許請求の範囲】
【請求項１】
記録ディスクが載置されたトレイをトレイレール部材によってローディング位置まで移動させるローディング部材と、ローディング位置において記録ディスクを回転駆動部材にクランプするクランプ部材とを備えた構成のディスク装置において、
前記トレイレール部材に、前記トレイの側端部が摺動する溝をトレイ移動方向に延在するように設け、前記トレイにおけるディスク保持面と、このディスク保持面に対向する前記溝における対向壁内面とに距離を設けて空間部を形成し、この空間部内において記録ディスクの移動を規制しながらローディング動作を行うことを特徴とするディスク装置。
【請求項２】
記録ディスクのクランプ位置における前記溝の対向壁内面に、記録ディスクの上昇移動を可能にする切欠部を設けたことを特徴とする請求項１記載のディスク装置。
【請求項３】
前記切欠部に、記録ディスクの昇降動作と連動して昇降し、記録ディスクの過上昇を規制する規制部材を設置したことを特徴とする請求項２記載のディスク装置。
【請求項４】
前記規制部材を、記録ディスクの昇降動作と連動して昇降する片持ち梁構造にし、片持ち梁の自由端部分を記録ディスクの過上昇を規制する規制部としたことを特徴とする請求項３記載のディスク装置。
【請求項５】
ターンテーブルの移動によって記録ディスクをクランプする前記クランプ部材に対して、前記ターンテーブルの移動方向とは逆方向に付勢力を与える付勢部材を備えたことを特徴とする請求項１記載のディスク装置。
【請求項６】
前記付勢部材を、前記クランプ部材を弾圧する板ばねにより構成したことを特徴とする請求項５記載のディスク装置。
【請求項７】
回転可能な前記クランプ部材の回転中心と、前記付勢部材の付勢荷重点とを一致させたことを特徴とする請求項５または６記載のディスク装置。
【請求項８】
前記付勢部材を、前記クランプ部材を磁力によって吸着する磁力発生体により構成したことを特徴とする請求項５記載のディスク装置。
【発明の詳細な説明】
【０００１】
【発明の属する技術分野】
本発明は、記録媒体である光ディスクなどの記録ディスクをローディングし、クランプ位置でクランプする機構を持ったディスク装置に係り、特に装置本体を横置きあるいは縦置きの両状態にしても、トレイから記録ディスクが落下しないようにした構成のディスク装置に関するものである。
【０００２】
【従来の技術】
最近の傾向として、パーソナルコンピュータ（以後、パソコンと称する）における設置スペースの省スペース化のため、パソコン本体が上下方向に長くかつ横方向に薄く、よって、記録媒体の挿入される挿入口が上下に長くなる、所謂縦置き型となっているものが多く市販されている。このため当然のことであるが、パソコン本体に内蔵される周辺機器としての記録ディスクを駆動するディスク装置も縦型の設置に対して、問題なく動作することを保証しなければならなくなる。
【０００３】
一方、ディスク装置における記録ディスクに対するローディング方式としては、凹形状をなすトレイに記録ディスクを搭載するトレイ方式と、記録ディスクをケース（キャディ）に収納するキャディ方式とに大別されるが、最近の傾向としては、簡易な構成で、かつ操作性に優れたトレイ方式が主流になっている。
【０００４】
ところが、このトレイ方式では、凹形状のトレイに記録ディスクを搭載するだけであるため、トレイが水平状態になる横置き設置の場合では問題ないが、縦置き設置にした場合、記録ディスクがトレイから脱落するおそれがある。そこで、特開平８−１２４２６４号公報に記載されたディスク装置のように、トレイに形成された凹形状のディスク載置部における外周部の上面に爪状の突起物を複数個設け、これらの突起物により記録ディスクの一部分を係止して、記録ディスクを垂直の姿勢で支持することができるようにした構造のもの、あるいはこの構造に類似したものが採用されている。
【０００５】
【発明が解決しようとする課題】
前記従来の技術のように、凹形状のディスク載置部の外周部上面に爪状の突起物を設ける構造では、凹形状の深さ方向の寸法（トレイの深さ）を大きくとらなければならない。すなわち、所定位置にローディングされた記録ディスクが、回転時にトレイに対して接触しないように、クランプ時に記録ディスクを厚み方向に持ち上げる必要がある。この記録ディスクの持ち上げ量は、記録ディスクの面ぶれ量，トレイの平面度，部品のばらつき等々を考慮すると１ｍｍ程度は必要である。さらに、記録ディスクの上面から記録ディスクの一部を係止する爪状の突起物までのスペースも記録ディスクの面ぶれ等を考慮して必要である。このため、トレイの厚みを薄型化することは、実際上は困難な課題であるといえる。
【０００６】
本発明の目的は、前記従来の課題を解決し、光ディスクなどの記録ディスクをローディングし、所定位置でクランプする機構を備えたディスク装置において、構成を複雑にせずに、横置きあるいは縦置きのいずれの設置状態であっても、ローディング中に記録ディスクを載置するトレイから記録ディスクが落下することを防止したディスク装置を提供することを目的とする。
【０００７】
【課題を解決するための手段】
前記目的を達成するため、請求項１記載の発明は、記録ディスクが載置されたトレイをトレイレール部材によってローディング位置まで移動させるローディング部材と、ローディング位置において記録ディスクを回転駆動部材にクランプするクランプ部材とを備えた構成のディスク装置において、前記トレイレール部材に、前記トレイの側端部が摺動する溝をトレイ移動方向に延在するように設け、前記トレイにおけるディスク保持面と、このディスク保持面に対向する前記溝における対向壁内面とに距離を設けて空間部を形成し、この空間部内において記録ディスクの移動を規制しながらローディング動作を行うことを特徴とし、この構成によって、トレイを特別な構造にすることなく、簡単な構造でトレイレール部材に、縦置き，横置き状態に関係ない記録ディスクの落下防止機能を持たせることができ、さらに、従来の爪状の突起物を設ける構造のものに比べてトレイの薄型化を図ることができる。
【０００８】
請求項２記載の発明は、請求項１記載のディスク装置において、記録ディスクのクランプ位置における溝の対向壁内面に、記録ディスクの上昇移動を可能にする切欠部を設けたことを特徴とし、この構成によって、請求項１のようなトレイレール部材の構造にしても、クランプ動作時における記録ディスクを上昇移動させるためのスペースを簡単な構造で確保することができる。
【０００９】
請求項３記載の発明は、請求項２記載のディスク装置において、切欠部に、記録ディスクの昇降動作と連動して昇降し、記録ディスクの過上昇を規制する規制部材を設置したことを特徴とし、この構成によって、規制部材により記録ディスクの本来の移動に干渉することなく、トレイレール部材の切欠部から記録ディスクが脱落することを防ぐことができる。
【００１０】
請求項４記載の発明は、請求項３記載のディスク装置において、規制部材を、記録ディスクの昇降動作と連動して昇降する片持ち梁構造にし、片持ち梁の自由端部分を記録ディスクの過上昇を規制する規制部としたことを特徴とする。
【００１１】
請求項５記載の発明は、請求項１記載のディスク装置において、ターンテーブルの移動によって記録ディスクをクランプするクランプ部材に対して、ターンテーブルの移動方向とは逆方向に付勢力を与える付勢部材を備えたことを特徴とし、この構成によって、クランプ部材とトレイとの対向距離を常に最小に保持付勢しておくことができるため、記録ディスクの移動を規制することができる。
【００１２】
請求項６記載の発明は、請求項５記載のディスク装置において、付勢部材を、クランプ部材を弾圧する板ばねにより構成したことを特徴とする。
【００１３】
請求項７記載の発明は、請求項５または６記載のディスク装置において、回転可能なクランプ部材の回転中心と、付勢部材の付勢荷重点とを一致させたことを特徴とし、この構成によって、クランプ部材を回転可能な構成にしても、円滑な回転が行われることになる。
【００１４】
請求項８記載の発明は、請求項５記載のディスク装置において、付勢部材を、クランプ部材を磁力によって吸着する磁力発生体により構成したことを特徴とする。
【００１５】
【発明の実施の形態】
以下、本発明の好適な実施形態について図面を参照しながら説明する。
【００１６】
図１は本発明の第１実施形態を説明するためのディスク装置の全体を示す分解斜視図、図２は第１実施形態における要部を示す一部断面図である。
【００１７】
図１において、１はディスク状記録媒体（ＣＤ−Ｒ／ＲＷメディア、以下、記録ディスクという）Ｄを上面にて保持するトレイ、２はトレイ１を記録／再生位置まで搬送するローディング機構、３はトレイ１を記録／再生位置方向に案内するトレイレール、４は記録ディスクＤに対して記録／再生を行う光学ヘッド、５は記録ディスクＤを回転駆動する回転駆動部材であるスピンドルモータ、６は記録／再生位置まで搬送された記録ディスクＤをスピンドルモータ５のターンテーブル上に保持するクランプ部材、７は制御／駆動系の電気回路構成部材が搭載されたプリント基板である。また、ディスク装置の外装ケースが、ボトムカバー１０と、トップカバー１１と、フロントパネル１２により構成されている。
【００１８】
さらに、ディスク装置には、記録／再生位置まで搬送された記録ディスクＤをスピンドルモータ５のターンテーブル上に載せる光学ヘッド昇降手段（図示せず）などが設置されている。
【００１９】
図２に示すように、トレイレール３には、トレイ１の両側端部１ａが摺動する断面コ状の溝１５がトレイ移動方向（記録／再生位置方向）に延在するように設けられ、さらに図３に示すように、トレイ１におけるディスク載置凹部１６のディスク保持面１６ａと、このディスク保持面１６ａに対向する溝１５における対向壁内面１５ａとに、距離Ｈを設けて空間部１７を形成し、この空間部１７内において記録ディスクＤの厚み方向の移動を規制しながらローディング動作を行うようになっている。
【００２０】
このように、記録ディスクＤの厚み方向の移動を規制することによって、図２に示す横置き状態での使用のみならず、縦置き状態での使用時においても、ローディング中に、記録ディスクＤがトレイ１から脱落することを防止することができる。
【００２１】
図４は本発明の第２実施形態を説明するためのディスク装置における要部の構成を示す平面図、図５は第２実施形態における要部の正面構成を示す説明図である。ディスク装置では、回転駆動時に記録ディスクＤとトレイ１とが接触しないように、クランプ時において記録ディスクＤをその厚み方向に持ち上げるようにする必要があるが、第１実施形態においては、トレイレール３の溝１５には上壁があるため、クランプ時に記録ディスクＤが上方に移動するだけのスペースを確保することができない。そこで第２実施形態では、クランプ位置において、記録ディスクＤが上方に移動することができるように、トレイレール３の溝１５の上壁面に切欠部２０を設けて、記録ディスクＤの上方移動を可能にしてクランプ動作を行うようにしている。
【００２２】
しかし、第２実施形態において、クランプ解除時の衝撃、あるいは外部からの振動などの影響により、記録ディスクＤがトレイレール３における切欠部２０方向に移動して、トレイ１のアンロード時に、記録ディスクＤがトレイ１の正規の位置に載らずに脱落するおそれがある。このため、第２実施形態では、切欠部２０部分に、記録ディスクＤの昇降動作と連動して昇降し、記録ディスクＤの過上昇を規制する規制部材２１を設置しており、この規制部材２１により記録ディスクＤの本来の移動に干渉することなく、溝１５から記録ディスクＤが脱落することを防ぐようにしている。
【００２３】
規制部材２１としては、各種の機構のものが考えられるが、図５に示すように、光学ヘッド４，記録ディスクＤの昇降動作と連動して昇降する側面コ状の片持ち梁構造にし、片持ち梁の自由端部分２１ａを記録ディスクＤの過上昇を規制する規制部とする機構としたり、あるいは図示しないが、片持ち梁構造における側部中間部を押圧したり、押圧解除するようにして規制部を移動可能にする構造も考えられる。
【００２４】
図６は本発明の第３実施形態を説明するためのディスク装置における要部の構成を示す説明図であり、第３実施形態が第１実施形態あるいは第２実施形態の構成と異なる点は、記録ディスクＤをスピンドルモータ５のターンテーブル上に保持するクランプ部材６のクランパー２２を、クランプ動作に入る前までトレイ１方向（図中の矢印方向）に付勢する付勢部材２３を設けた構成であり、このクランパー２２の下面２２ａと、トレイ１におけるディスク載置凹部１６のディスク保持面１６ａとにおける記録ディスクＤの厚み方向の隙間Ｈを必要最小限の幅に抑えることにより、記録ディスクＤの厚み方向における移動を規制し、縦置きでの使用時において、ローディング中に記録ディスクＤがトレイ１から脱落することを防止するようにしている。
【００２５】
付勢部材２３としては、クランプ部材６の一部を前記のように弾圧する構造の板ばねを採用することができる。
【００２６】
図７は本発明の第４実施形態のディスク装置における付勢部材の要部の構成を示す説明図、図８は第４実施形態のディスク装置におけるクランプ後の状態を示す説明図であり、クランパー２２と、クランパー保持板２４と、クランパー加圧部２５と、クランパー保持板２４に設けられてクランパー加圧部２５を介してクランパー２２を押圧する付勢部材２３としての板ばね部材２６とを備えており、クランパー２２は、クランプする前には磁力により、ターンテーブル上昇方向（矢印方向）とは逆の方向に付勢されており、第３実施形態と同様の作用によって、記録ディスクＤの厚み方向の移動を規制し、縦置きでの使用時においても、ローディング中に記録ディスクＤがトレイ１から脱落することを防止している。
【００２７】
なお、第４実施形態において、図８に示すように、クランプ動作に入ると、図示しない光学ヘッド上昇手段により、クランパー２２は移動（持ち上げ）され、記録ディスクＤをクランプする。
【００２８】
また、クランパー２２の回転中心と、付勢部材２３の付勢荷重点とを一致させることにより、クランパー２２を回転可能にしても、その回転を阻害することなく、円滑な回転が行えるようにすることができる。
【００２９】
図９は本発明の第５実施形態のディスク装置における付勢部材の要部の構成を示す説明図、図１０は第５実施形態のディスク装置におけるクランプ後の状態を示す説明図であり、第５実施形態は、クランパー２２をスピンドルモータ５のターンテーブル上昇方向とは逆の方向に付勢する付勢部材として、クランパー２２を磁力によって吸着する磁力発生体により構成したものである。
【００３０】
図９，図１０において、２８はクランパー保持板金、２９はクランパー２２に対向する位置に配設された磁性体であって、磁性体２９の磁力によりクランパー２２を付勢するようになっている。このため、クランパー２２は、クランプする前には磁力により、ターンテーブル上昇方向（矢印方向）とは逆の方向に付勢されており、第４実施形態と同様の作用によって、記録ディスクＤの厚み方向の移動を規制し、縦置きでの使用時においても、ローディング中に記録ディスクＤがトレイ１から脱落することを防止している。
【００３１】
また、第５実施形態においても、図１０に示すように、クランプ動作に入ると、図示しない光学ヘッド上昇手段により、クランパー２２は上方に持ち上げられ、記録ディスクＤをクランプする。
【００３２】
なお、本発明の前記各実施形態は、図１１に示すようなチェンジャー型ディスク装置においても適用することができる。すなわち、チェンジャー型ディスク装置は、記録ディスクＤを保持するトレイ３１を積層状に複数枚格納するマガジン３２を装填可能であって、そのマガジン３２をディスク装置のドライブ本体３３内部に挿入する開口部３４と、マガジン３２をドライブ本体３３内部に保持するマガジン保持部３５と、選択された記録ディスクＤを引き出すスライダ機構３６と、選択された記録ディスクＤを記録／再生位置まで移動するローディング機構３７と、記録／再生を行う光学ヘッド３８と、図示しないが、記録／再生位置まで搬送された記録ディスクＤをスピンドルモータ３９のターンテーブル上に載せる光学ヘッド昇降手段と、その記録媒体をスピンドルモータ上に保持するクランプユニット等と、各トレイ３１を移動案内するために、スライダ機構３６部分に設けられた図示しないトレイレール（前記各実施形態にて説明したもの）からなるものである。
【００３３】
【発明の効果】
以上説明したように、本発明によれば、トレイを特別な構造にすることなく、簡単な構造でトレイレール部材に、縦置き，横置き状態に関係ない記録ディスクの落下防止機能を持たせることができ、さらに、従来の爪状の突起物を設ける構造のものに比べてトレイの薄型化が可能になる。
【００３４】
また、記録ディスクをクランプするクランプ部材とトレイとの対向距離を常に最小に保持するように付勢しておくことができるため、ローディング中の記録ディスクの移動を規制して、記録ディスクの落下をより確実に防止することができる。
【図面の簡単な説明】
【図１】本発明の第１実施形態を説明するためのディスク装置の全体を示す分解斜視図
【図２】第１実施形態における要部を示す一部断面図
【図３】第１実施形態におけるトレイとトレイレールの関係を示す説明図
【図４】本発明の第２実施形態を説明するためのディスク装置における要部の構成を示す平面図
【図５】第２実施形態における要部の正面構成を示す説明図
【図６】本発明の第３実施形態を説明するためのディスク装置における要部の構成を示す説明図
【図７】本発明の第４実施形態のディスク装置における付勢部材の要部の構成を示す説明図
【図８】第４実施形態のディスク装置におけるクランプ後の状態を示す説明図
【図９】本発明の第５実施形態のディスク装置における付勢部材の要部の構成を示す説明図
【図１０】第５実施形態のディスク装置におけるクランプ後の状態を示す説明図
【図１１】本発明の各実施形態を適用することができるチェンジャー型ディスク装置の構成を説明するための斜視図
【符号の説明】
１，３１  トレイ
２，３７  ローディング機構
３  トレイレール
４，３８  光学ヘッド
５，３９  スピンドルモータ
６  クランプ部材
１５  溝
１５ａ  溝の対向壁内面
１６  ディスク載置凹部
１６ａ  ディスク保持面
１７  空間部
２０  切欠部
２１  規制部材
２２  クランパー
２３  付勢部材
２４  クランパー保持板
２５  クランパー加圧部
２６  板ばね部材
２９  磁性体
【図１】
0003842559.tif 000002
【図２】
0003842559.tif 000003
【図３】
0003842559.tif 000004
【図４】
0003842559.tif 000005
【図５】
0003842559.tif 000006
【図６】
0003842559.tif 000007
【図７】
0003842559.tif 000008
【図８】
0003842559.tif 000009
【図９】
0003842559.tif 000010
【図１０】
0003842559.tif 000011
【図１１】
0003842559.tif 000012